(57)【要約】【課題】少ない作業負担で商品の値引販売をできるようにする。【解決手段】チェックアウトシステム６０１が備えるデータ読取装置５０１は、取得した画像にコードシンボルが含まれている場合にはデコードして商品コードを取得し、画像に値引情報を表示する値引表示が含まれている場合には対応する値引コードを値引ファイルから取得し、取得した商品コード及び値引コードを外部出力するようにした。また、商品販売データ処理装置３０１は、外部出力された商品コード及び値引コードを受信し、商品コードに対応する単価を商品データファイルから取得し、値引コードに対応する値引処理を値引処理ファイルから取得し、取得した値引処理を単価に対して実行して値引価格を算出するようにした。【選択図】図２
2007334715.tif 000002
【特許請求の範囲】
【請求項１】
データ読取装置と、当該データ読取装置との間でデータの送受信が可能な商品販売データ処理装置と、を備え、
前記データ読取装置は、
所定の撮影範囲を撮影して画像を取得する撮像部と、
前記取得した画像に商品を特定する商品コードを記述したコードシンボルが含まれている場合、当該コードシンボルをデコードして商品コードを取得する手段と、
前記取得した画像に値引情報を表示する値引表示が含まれている場合、値引情報と値引コードとを対応付けて記憶する値引ファイルから対応する値引コードを取得する手段と、
前記取得した商品コード及び値引コードを外部出力する手段と、
を備え、
前記商品販売データ処理装置は、
前記外部出力された商品コード及び値引コードを受信する手段と、
商品コードと単価とを対応付けて記憶する商品データファイルから前記受信した商品コードに対応する単価を取得する手段と、
値引コードと値引処理の内容とを対応付けて記憶する値引処理ファイルから前記受信した値引コードに対応する値引処理を取得し、当該取得した値引処理を前記取得した単価に対して実行して値引価格を算出する手段と、
を備える、
チェックアウトシステム。
【請求項２】
前記取得した画像に含まれている値引表示が表示する値引情報は、文字情報であり、
前記値引ファイルが記憶する値引情報は、当該文字情報のテキストデータである、
請求項１記載のチェックアウトシステム。
【請求項３】
前記取得した画像に含まれている値引表示は、識別マークを含み、
前記データ読取装置は、
前記取得した画像に含まれている値引表示が含む識別マークに基づき当該値引表示を検出して、当該画像から当該値引表示を抽出する手段と、
前記抽出した値引表示が表示する値引情報である文字情報をテキストデータとして取得する手段と、
値引コードの入力を受け付ける手段と、
前記取得したテキストデータを、前記入力を受け付けた値引コードと対応付けて前記値引ファイルに記憶させる手段と、
を備える請求項２記載のチェックアウトシステム。
【発明の詳細な説明】
【技術分野】
【０００１】
本発明は、データ読取装置と商品販売データ処理装置とを備えるチェックアウトシステムに関する。
【背景技術】
【０００２】
従来、店舗で販売される商品には、その商品や単価等の商品情報が対応付けられた商品コードがバーコード等のコードシンボルの形態で付されている。
【０００３】
商品に付された商品コードは、ＰＯＳ端末が備えるバーコードスキャナによってデコードされる。そして、ＰＯＳ端末では、デコードされた商品コードに基づき商品情報が取得され、その商品情報に基づき商品販売データ処理が実行される。
【０００４】
ところで、スーパーマーケット等の店舗で商品の値引販売を行う際には、「５０円引」等の値引情報を表示する値引表示を商品に付することが多い。この場合、キャッシャは、商品に付された商品コードをバーコードスキャナでデコードした後、キーボードを操作してその商品に付された値引表示に応じた値引処理を実行する。
【０００５】
しかし、キャッシャが商品に付された値引表示の存在に気付かず、値引対象の商品であるにもかかわらず値引処理を行わないでその商品を販売してしまい、顧客に対して大きな不満を与えてしまうことがある。
【０００６】
そこで、上記した問題を解決するため、特許文献１には、商品に付された値引表示をＣＣＤカメラで検出し、値引表示を検出した場合にはその結果をキャッシャに報知するようにした値引マーク検出装置についての技術が開示されている。
【０００７】
【特許文献１】登録実用新案第３０４７５９８号公報
【発明の開示】
【発明が解決しようとする課題】
【０００８】
しかし、特許文献１に開示された技術は、値引表示の検出結果の報知のみを行うものであり、キャッシャには値引処理のためのキーボード入力操作等が別に要求され、チェックアウト作業の負担となる。
【０００９】
また、商品の値引販売を行う場合の別の方策として、値引後の価格に係るバーコードを上貼りすることがある。この場合には、上記した値引処理のためのキーボード操作は必要とされることはないが、新たにバーコードラベルの作成が必要であり、別の作業負担が店舗に要求されることになる。また、その商品が値引対象であることを顧客に認識させるためには、やはり、商品に値引表示を付することが必要であり、すると、さらに作業負担が強いられることになる。
【００１０】
本発明の目的は、少ない作業負担で商品の値引販売をできるようにすることである。
【課題を解決するための手段】
【００１１】
本発明のチェックアウトシステムは、データ読取装置と、当該データ読取装置との間でデータの送受信が可能な商品販売データ処理装置と、を備え、前記データ読取装置は、所定の撮影範囲を撮影して画像を取得する撮像部を備え、前記取得した画像に商品を特定する商品コードを記述したコードシンボルが含まれている場合、当該コードシンボルをデコードして商品コードを取得し、前記取得した画像に値引情報を表示する値引表示が含まれている場合、値引情報と値引コードとを対応付けて記憶する値引ファイルから対応する値引コードを取得し、前記取得した商品コード及び値引コードを外部出力し、また、前記商品販売データ処理装置は、前記外部出力された商品コード及び値引コードを受信し、商品コードと単価とを対応付けて記憶する商品データファイルから前記受信した商品コードに対応する単価を取得し、値引コードと値引処理の内容とを対応付けて記憶する値引処理ファイルから前記受信した値引コードに対応する値引処理を取得し、当該取得した値引処理を前記取得した単価に対して実行して値引価格を算出するようにした。
【発明の効果】
【００１２】
本発明によれば、データ読取装置の撮像部によってコードシンボルと共にその値引表示を撮影するだけで単価に対する値引処理が実行されるため、少ない作業負担で商品の値引販売を行うことができる。
【発明を実施するための最良の形態】
【００１３】
本発明の実施の一形態を図１ないし図１０に基づいて説明する。
【００１４】
図１は、ＰＯＳシステム１０１を示すシステム構成図である。スーパーマーケット等の店舗に導入されたＰＯＳシステム１０１は、店舗のバックヤードに設置された上位装置としてのストアサーバ２０１を有しており、ストアサーバ２０１には、ＬＡＮ等の内部通信ネットワーク４０１を介して、店舗の精算場所に設置された商品販売データ処理装置としてのＰＯＳ端末３０１がデータ通信可能に複数台接続されている。
【００１５】
ストアサーバ２０１は、図示しないＨＤＤ（Ｈａｒｄ  Ｄｉｓｋ  Ｄｒｉｖｅ）を内蔵し、このＨＤＤ内に商品データファイル２０２を格納している。そして、ストアサーバ２０１は、ＰＯＳ端末３０１からの要求に応じて商品データファイル２０２から必要なデータを送信出力する。商品データファイル２０２は、詳細は図示しないが、商品毎に割り振られて商品を特定する商品コードと商品名や単価を含む商品情報とを対応付けて記憶するファイルである。
【００１６】
ＰＯＳ端末３０１には、データ読取装置としてスキャナ５０１が接続されており、ＰＯＳ端末３０１とスキャナ５０１とは互いに各種データの送受信が可能となっている。そして、一組のＰＯＳ端末３０１とスキャナ５０１とによって、一つのチェックアウトシステム６０１が構成されている。
【００１７】
図２は、チェックアウトシステム６０１を示す外観斜視図である。チェックアウトシステム６０１は、互いに接続されたＰＯＳ端末３０１と据置型のスキャナ５０１とを備えている。ＰＯＳ端末３０１は、キャッシャが操作し易い高さでＰＯＳ端末３０１を支持するレジ台６２１上に載置されている。スキャナ５０１は、キャッシャが袋詰め等を行うサッカー台６１１に固定されている。
【００１８】
ＰＯＳ端末３０１は、ハウジング３１１を備え、ハウジング３１１内に各部を収納し、一方でハウジング３１１の外部に各部を露出させている。ハウジング３１１の上面には、キーボード３１２、キャッシャ用表示器３１３、客用表示器３１４、レシート発行口３１５が配置されている。ハウジング３１１の内部には、レシートを印字するためのプリンタ３１６（図８参照）が設けられている。プリンタ３１６は、レシート／ジャーナルプリンタであり、ＰＯＳ端末３０１で実行される商品販売データ処理に伴い、取引単位でレシートを発行するとともに、並行してジャーナル用紙への印字を行うものである。
【００１９】
また、ＰＯＳ端末３０１は、顧客から受領した硬貨や紙幣を保管するドロワ３２１の上に載置されている。ドロワ３２１の内部には、引出し３２２が設けられており、締め処理時に手前に引き出される。
【００２０】
スキャナ５０１は、中央部に読取窓５１２が設けられた縦型のハウジング５１１を有している。ハウジング５１１の内部には読取窓５１２の奥部に位置させて、所定の撮影範囲を撮影して画像を取得する撮像部としてのカメラ５６１（図４参照）が備えられている。また、スキャナ５０１は、ハウジング５１１の上方に操作部５０２を備えている。操作部５０２は、ハウジング５１１の上方位置でハウジング５１１に固定された上部ハウジング５２１を有しており、上部ハウジング５２１には、キャッシャが使用するタッチパネル付き表示器５２２とキーボード５２３とが設けられている。
【００２１】
図３は、商品ラベル８０１と値引ラベル９０１とが貼付された商品７０１を示す平面図である。本実施の形態では、商品７０１が値引対象である場合には、商品ラベル８０１と共に値引ラベル９０１が貼付され、一方、商品７０１が値引対象でない場合には、商品ラベル８０１のみが貼付される。
【００２２】
商品ラベル８０１には、商品名、単価、賞味期限を含む商品情報が印刷されて、さらに、所定のコード体系によって記述されたコードシンボルとしてのバーコード８０２が印刷されている。バーコード８０２は、一例としてＪＡＮコードで記述されたものである。なお、バーコード８０２は、他のコード体系で記述されていてもよいし、また、二次元コードであってもよい。
【００２３】
値引ラベル９０１には、値引情報を表示する値引表示９０２が印刷されている。値引表示９０２は、その一対の半円形状である識別マーク９０３を含んでおり、また、一対の識別マーク９０３に挟まれた位置に、「半額」と記された文字情報を値引情報として表示している。
【００２４】
値引情報である文字情報は、値引表示９０２毎に異なるものであり、他には、「５０円引」等と記されたものがある。
【００２５】
識別マーク９０３は、値引表示９０２に特有のマークであって、識別マーク９０３を含む表示が値引表示９０２であることを示すものである。後述するように、スキャナ５０１では、カメラ５６１が取得した画像から識別マーク９０３に基づき値引表示９０２を検出する。
【００２６】
なお、値引表示９０２の形態は、本実施の形態のものに限られないことは言うまでもない。
【００２７】
値引ラベル９０１は、商品ラベル８０１にわずかに重なって商品７０１に貼付されている。これは、商品ラベル８０１と値引ラベル９０１とが、カメラ５６１によって撮影される同じ一つの画像の中に含まれるようにするためである。したがって、値引ラベル９０１の貼付位置は、その画像の範囲内であれば、商品ラベル８０１に重なった位置でなくてもよい。
【００２８】
顧客は、商品７０１に付された値引表示９０２を確認することで、商品７０１が値引対象であること、及び、その値引情報について認識することができる。そして、その商品７０１の購入を希望する場合には、顧客は商品７０１を持ってチェックアウトシステム６０１へ行き、チェックアウトを済ませることになる。
【００２９】
チェックアウトシステム６０１では、キャッシャは、顧客が購入を希望する商品７０１を手に取り、商品７０１の商品ラベル８０１と値引ラベル９０１とが貼付された部分をスキャナ５０１の読取窓５１２の前にかざす動作を行う。これにより、スキャナ５０１に内蔵されたカメラ５６１によって、商品７０１に付されたバーコード８０２と値引表示９０２とを含む範囲が撮影され、バーコード８０２と値引表示９０２とを含む画像が取得される。
【００３０】
図４は、スキャナ５０１のハードウェア構成を示すブロック図である。スキャナ５０１は、スキャナ５０１におけるデータ処理を制御するマイクロプロセッサであるＤＳＰ（Ｄｉｇｉｔａｌ  Ｓｉｇｎａｌ  Ｐｒｏｃｅｓｓｏｒ）５５１を備えており、このＤＳＰ５５１には、カメラ５６１が接続されてこのカメラ５６１の撮影により取得された画像の画像処理を行うＦＰＧＡ（Ｆｉｅｌｄ  Ｐｒｏｇｒａｍｍａｂｌｅ  Ｇａｔｅ  Ａｒｒａｙ）５５３、制御プログラムや後述する値引ファイル５７１（図５参照）を格納するフラッシュＲＯＭ５５４、画像処理時に画像データ等を記憶する作業メモリとして使用されるＳＤＲＡＭ５５５、及び、ＲＳ−２３２ＣやＵＳＢ等の通信インターフェイス５５６がバスライン５５２を介して接続されている。通信インターフェイス５５６には操作部５０２又はＰＯＳ端末３０１が接続されており、スキャナ５０１は、操作部５０２及びＰＯＳ端末３０１との間で各種データの送受信が可能となっている。
【００３１】
図５は、値引ファイル５７１のデータ構成を示す模式図である。値引ファイル５７１は、値引表示９０２が表示する値引情報と値引コードとを対応付けて記憶するファイルである。値引コードは、後述するように、ＰＯＳ端末３０１で単価に対して実行される値引処理を特定するものである。ここで、値引ファイル５７１が記憶する値引情報は、値引表示９０２が表示する値引情報である文字情報のテキストデータである。
【００３２】
以下、値引ファイル５７１に値引情報及び値引コードを記憶させる際の処理（以下、登録処理）について、図６に示すフローチャートに基づき説明する。なお、登録処理は、操作部５０２を使用した所定の操作によってＤＳＰ５５１が制御プログラムに従い実行するものである。
【００３３】
図６は、登録処理の流れを示すフローチャートである。まず、操作部５０２のキーボード５２３に設けられた登録モードキー（図示せず）の押下によって、スキャナ５０１を「登録モード」に設定する。（ステップＳ１０１）。次に、値引表示９０２を含む画像をカメラ５６１によって撮影して取得する（ステップＳ１０２）。そして、取得した画像に対して前処理として２値化処理等を実行する。
【００３４】
ここで、スキャナ５０１では、取得した画像に含まれる識別マーク９０３を、その位置や大きさ等の制限を受けることなく捉えて検出することができる。例えば、スキャナ５０１は、識別マーク９０３の特徴点についてのデータを所有しており、取得して２値化した画像中の特徴点と一致させることで識別マーク９０３を検出する。
【００３５】
したがって、取得した画像に含まれる識別マーク９０３に基づき値引表示９０２を検出して、画像から値引表示９０２を切り出して抽出する（ステップＳ１０３）。次に、抽出した値引表示９０２が表示する値引情報である文字情報（「半額」等）に対してＯＣＲ処理を実行して、文字情報をテキストデータとして取得する（ステップＳ１０４）。続いて、キーボード５２３の押下による値引コードの入力を受け付ける（ステップＳ１０５）。値引コードが入力されたならば、キーボード５２３に設けられた「登録」キーを押下することで、値引表示９０２が表示する値引情報である文字情報のテキストデータを、ステップＳ１０５で入力を受け付けた値引コードと対応付けて値引ファイル５７１に記憶させる（ステップＳ１０６）。
【００３６】
このようにして、値引ファイル５７１には、値引情報である文字情報のテキストデータが、値引コードに対応付けられて記憶される。なお、値引ファイル５７１に記憶されるテキストデータは、カメラ５６１で撮影した画像から取得されるもの限られることなく、値引コードと同様にキーボード５２３で入力されるものでもよい。また、ＰＯＳ端末３０１のＨＤＤ３５５（図８参照）等に予め格納されていてもよい。その場合、ＰＯＳ端末３０１からスキャナ５０１にデータ送信されるようする。
【００３７】
図７は、商品コード及び値引コード取得の処理の流れを示すフローチャートである。まず、カメラ５６１の撮影により画像を取得する。続いて、前述した登録処理と同様に、取得した画像に対して前処理として２値化処理が実行される。
【００３８】
そして、取得して前処理が施された画像にバーコード８０２が含まれている場合（ステップＳ２０１のＹ）、その画像に含まれているバーコード８０２をデコードして商品コードを取得する（ステップＳ２０２）。
【００３９】
ステップＳ２０１、Ｓ２０２で実行される処理について概略的に説明する。まず、取得して２値化した画像を輪郭画像に変換した後、その輪郭線を融合する。そして、バーコード８０２の領域を塗り潰し、背景を消滅させてその領域を抽出する。このようにして、画像中にバーコード８０２の領域が含まれている場合には（ステップＳ２０１のＹ）、バーコード８０２を抽出する。続いて、バーコード８０２の領域の中心を通る回帰直線に沿ってバーコード８０２を読み、バーコード８０２をデコードする（ステップＳ２０２）。このような処理は、周知の技術である。この技術によれば、バーコード８０２の位置や方向の制限を受けることなく、取得した画像に含まれるバーコード８０２をデコードすることができる。
【００４０】
次に、カメラ５６１により取得した画像に値引表示９０２が含まれている場合（ステップＳ２０３のＹ）、この値引表示９０２が表示する値引情報に対応する値引コードを値引ファイル５７１から取得する（ステップＳ２０４）。
【００４１】
ステップＳ２０３、Ｓ２０４で実行される処理について説明する。まず登録処理（図６参照）と同様に、２値化した画像から識別マーク９０３に基づき値引表示９０２を検出する。画像に値引表示９０２が含まれていれば（ステップＳ２０３のＹ）、値引表示９０２を切り出して抽出する。次に、抽出した値引表示９０２が表示する値引情報である文字情報に対してＯＣＲ処理を実行して、文字情報をテキストデータとして取得する。そして、取得したテキストデータに基づき値引ファイル５７１を検索して対応する値引コードを取得する（ステップＳ２０４）。
【００４２】
したがって、スキャナ５０１では、商品７０１にバーコード８０２のみが付されていれば商品コードのみが取得され、一方で、商品７０１にバーコード８０２及び値引表示９０２が付されていれば、商品コード及び値引コードが取得されることになる。
【００４３】
そして、ＤＳＰ５５１は、取得した商品コードを外部出力し（ステップＳ２０５）、さらに、ステップＳ２０４で値引コードの取得があった場合には（ステップＳ２０６のＹ）、取得した値引コードを外部出力する（ステップＳ２０７）。外部出力された商品コード及び値引コードは、通信インターフェイス５５６から通信ケーブルを介してＰＯＳ端末３０１へ送信される。
【００４４】
図８は、ＰＯＳ端末３０１のハードウェア構成を示すブロック図である。ＰＯＳ端末３０１は、各種演算や各部の制御を実行するＣＰＵ３５１を有しており、ＣＰＵ３５１には、バスライン３５４を介して、固定データを固定的に格納するＲＯＭ３５２と、各種データを書き換え自在に格納してワークエリアとして機能するＲＡＭ３５３とが接続されている。
【００４５】
ＣＰＵ３５１には、バスライン３５４を介してキーボード３１２、キャッシャ用表示器３１３、客用表示器３１４、プリンタ３１６、ドロワ３２１、及びスキャナ５０１が接続されている。
【００４６】
また、ＣＰＵ３５１には、バスライン３５４を介して通信インターフェイス３５６が接続されている。通信インターフェイス３５６は、内部通信ネットワーク４０１と接続されており、これにより、ＰＯＳ端末３０１とストアサーバ２０１とは通信可能となっている。
【００４７】
さらに、ＣＰＵ３５１には、バスライン３５４を介して、制御プログラム、売上ファイル３７１（図９参照）及び値引処理ファイル３７２等の各種ファイルを格納するＨＤＤ３５５が接続されている。このような制御プログラムや各種ファイルはＰＯＳ端末３０１の起動時にＲＡＭ３５３のワークエリアに展開されて使用される。
【００４８】
ＨＤＤ３５５に格納された値引処理ファイル３７２は、値引コードと値引処理の内容とを対応付けて記憶するファイルである。ここで、値引処理は、商品販売データ処理において単価に対して実行される処理であって、当該単価に基づく値引価格を算出する処理である。
【００４９】
図９は、売上ファイル３７１のデータ構成を示す模式図である。売上ファイル３７１は、商品コードに対応させて、商品名、単価、値引価格、及び値引フラグを記憶するためのファイルである。ＰＯＳ端末３０１のＣＰＵ３５１は、商品販売データ処理に際して、受信した商品コードに対応させて、商品名や単価等を売上ファイル３７１に記憶させる。
【００５０】
商品名及び単価は、商品データファイル２０２から取得したものである。つまり、ＰＯＳ端末３０１のＣＰＵ３５１は、スキャナ５０１から出力されて受信した商品コードに基づきストアサーバ２０１に問合せを行い、対応する商品名及び単価を商品データファイル２０２から取得し、取得した商品名及び単価を売上ファイル３７１に記憶させる。
【００５１】
値引フラグは、値引コードが特定する値引処理の実行を宣言するものである。つまり、ＰＯＳ端末３０１のＣＰＵ３５１は、スキャナ５０１から出力されて受信した値引コードが特定する値引処理を、取得した単価に対して実行するように、対応する値引フラグを制御プログラムに従って売上ファイル３７１に立てる。
【００５２】
値引価格は、単価に対して値引処理を実行した価格である。つまり、ＣＰＵ３５１は、売上ファイル３７１に記憶された単価に対し、売上ファイル３７１に立てられた値引フラグに対応する値引処理を実行し、値引処理後の価格を値引価格として記憶させる。
【００５３】
次に、ＰＯＳ端末３０１のＣＰＵ３５１がＨＤＤ３５５に格納された制御プログラムに従って実行する商品販売データ処理について説明する。
【００５４】
図１０は、商品販売データ処理の流れを示すフローチャートである。ＣＰＵ３５１は、スキャナ５０１から出力される商品コードの受信を待機している（ステップＳ３０１）。ここで、商品コードを受信したならば（ステップＳ３０１のＹ）、ＣＰＵ３５１は、受信した商品コードをＲＡＭ３５３に展開された売上ファイル３７１に記憶させ、次に、スキャナ５０１から出力される値引コードの受信を待機する（ステップＳ３０２）。
【００５５】
そして、ＣＰＵ３５１は、商品コードを受信した後（ステップＳ３０１のＹ）、値引コードを受信した場合には、（ステップＳ３０２のＹ）、受信した値引コードに対応する値引フラグを売上ファイル３７１に立てる（ステップＳ３０３）。
【００５６】
次に、ＣＰＵ３５１は、ストアサーバ２０１に対して問合せを行い（ステップＳ３０４）、受信した商品コードに対応する単価を含む商品情報を商品データファイル２０２から取得し（ステップＳ３０５）、取得した商品情報を売上ファイル３７１に記憶させ、キャッシャ用表示器３１３及び客用表示器３１４に商品情報を表示させる（ステップＳ３０６）。
【００５７】
なお、ステップＳ３０２で値引コードを受信しなかった場合には（ステップＳ３０２のＮ）、その商品７０１が値引対象ではないものとして、売上ファイル３７１に値引フラグを立てずに、受信した商品コードに基づきストアサーバ２０１に対して問合せを行う（ステップＳ３０４）。
【００５８】
そして、ＣＰＵ３５１は、売上ファイル３７１に値引フラグが立っている場合には（ステップＳ３０７のＹ）、ステップＳ３０２で受信した値引コードに対応する値引処理を値引処理ファイル３７２から取得する。そして、取得した値引処理を売上ファイル３７１に記憶された単価に対して実行して値引価格を算出する（ステップＳ３０８）。ステップＳ３０８では、算出した値引価格を売上ファイル３７１に記憶させ、キャッシャ用表示器３１３及び客用表示器３１４に値引価格を表示する。
【００５９】
ステップＳ３０１ないしＳ３０８までの処理は、ＰＯＳ端末３０１によって締め操作（ステップＳ３０９）が実行されるまで繰り返される。そして、締め操作が行われたならば（ステップＳ３０９のＹ）、締め処理としてプリンタ３１６にレシートを発行させ、また、ドロワ３２１に引出し３２２を開放させ（ステップＳ３１０）、処理を終える。
【００６０】
以上説明したように本実施の形態によれば、商品に値引表示９０２を付し、スキャナ５０１のカメラ５６１によってバーコード８０２と共にその値引表示９０２を撮影するだけで商品の値引販売を行うことができるため、少ない作業負担で商品の値引販売を行うことができる。
【００６１】
つまり、本実施の形態では、商品に付された値引表示９０２を認識してキーボード３１２を操作して値引処理を行う、といったような作業がキャッシャに対して要求されることはない。また、値引後の価格に係るバーコードのラベルを作成して商品ラベル８０１に上貼りする必要もない。なお、バーコード８０２を撮影する際に値引表示９０２も撮影されるため、キャッシャが値引表示９０２の存在を見落として商品を通常価格で販売してしまうようなミスも防止される。
【図面の簡単な説明】
【００６２】
【図１】ＰＯＳシステムを示すシステム構成図である。
【図２】チェックアウトシステムを示す外観斜視図である。
【図３】商品ラベルと値引ラベルとが貼付された商品を示す平面図である。
【図４】スキャナのハードウェア構成を示すブロック図である。
【図５】値引ファイルのデータ構成を示す模式図である。
【図６】登録処理の流れを示すフローチャートである。
【図７】商品コード及び値引コード取得の処理の流れを示すフローチャートである。
【図８】ＰＯＳ端末のハードウェア構成を示すブロック図である。
【図９】売上ファイルのデータ構成を示す模式図である。
【図１０】商品販売データ処理の流れを示すフローチャートである。
【符号の説明】
【００６３】
２０２…商品データファイル，３０１…ＰＯＳ端末（商品販売データ処理装置），３７２…値引処理ファイル，５０１…スキャナ（データ読取装置），５６１…カメラ（撮像部），５７１…値引ファイル，６０１…チェックアウトシステム，８０２…バーコード（コードシンボル），９０２…値引表示，９０３…識別マーク
【図１】
2007334715.tif 000003
【図２】
2007334715.tif 000004
【図３】
2007334715.tif 000005
【図４】
2007334715.tif 000006
【図５】
2007334715.tif 000007
【図６】
2007334715.tif 000008
【図７】
2007334715.tif 000009
【図８】
2007334715.tif 000010
【図９】
2007334715.tif 000011
【図１０】
2007334715.tif 000012